(57)【要約】【課題】プレーの障害となることなく、簡易にゴルフクラブを載置可能なゴルフクラブ載置具を提供する。【解決手段】グリップＣ１及びシャフトＣ２を、ヘッドＣ３の接触面に対し傾斜状態で保持するゴルフクラブ載置具１であって、グリップＣ１又はシャフトＣ２が載置される載置面１１ａを有する載置部１１と、載置部１１を支持する支持部１２と、を備え、載置部１１と支持部１２とは、接触面Ｘの面方向に沿って折り畳み可能に連結されていることを特徴とする。【選択図】図１
2020080915.tif 000002
【特許請求の範囲】
【請求項１】
グリップ及びシャフトを、ヘッドの接触面に対し傾斜状態で保持するゴルフクラブ載置具であって、
前記グリップ又は前記シャフトが載置される載置面を有する載置部と、前記載置部を支持する支持部と、を備え、
前記載置部と前記支持部とは、前記接触面の面方向に沿って折り畳み可能に連結されていることを特徴とするゴルフクラブ載置具。
【請求項２】
前記載置部を一対備えることを特徴とする、請求項１に記載のゴルフクラブ載置具。
【請求項３】
前記支持部は、フック部を有することを特徴とする、請求項１又は２に記載のゴルフクラブ載置具。
【請求項４】
前記載置部又は前記支持部の少なくとも何れか一方は、前記接触面に接触する突起部を有することを特徴とする、請求項１〜３の何れかに記載のゴルフクラブ載置具。
【請求項５】
前記載置部と前記支持部とは、互いに着脱可能に連結する着脱手段を有することを特徴とする、請求項１〜４の何れかに記載のゴルフクラブ載置具。
【請求項６】
前記載置面には、前記グリップ又は前記シャフトの前記載置部からの脱離を防止する脱離防止手段が設けられていることを特徴とする、請求項１〜５の何れかに記載のゴルフクラブ載置具。
【請求項７】
前記脱離防止手段は、前記載置面の両端から、前記接触面に対し略垂直に立設された立設部により構成されることを特徴とする、請求項６に記載のゴルフクラブ載置具。
【請求項８】
前記脱離防止手段は、溝状の切欠き部により構成されることを特徴とする、請求項６に記載のゴルフクラブ載置具。
【発明の詳細な説明】
【技術分野】
【０００１】
本発明は、ゴルフクラブ載置具に係るものである。
【背景技術】
【０００２】
ゴルフを行う際、プレイヤーは、複数のゴルフクラブや必要なゴルフ用品をゴルフバッグに収容し持ち運ぶ。
【０００３】
ここで、ゴルフクラブは多様な種類が存在し、プレイヤーは、ラウンドを回る際、気候やホールの特色等に臨機応変に対応するため、種類別に十数本のゴルフクラブをゴルフバッグに収容していることが通常である。
【０００４】
このため、ゴルフバッグの重量が増大し、例えば、ショット毎にボールの状況を確認しに行き、その状況に合わせてゴルフクラブを選択したい場合であっても、ショット毎のゴルフバッグの持ち運びは、プレイヤーにとって大きな労力となる。
よって、従来から、数本程度のゴルフクラブをまとめて簡易に持ち運ぶためのゴルフ用具が、種々提案されてきた。
【０００５】
例えば、特許文献１には、複数のゴルフクラブを単独でまとめて運ぶときのゴルフクラブ用保持具が記載されている。
このゴルフクラブ用保持具は、ホルダ本体に複数の固定された保持穴を持ち、保持穴を形成するネック保持爪は、ゴルフクラブのシャフトの方向を保持できる長さに構成され、ホルダ本体の一端に取手が設けられている。
【０００６】
また、特許文献２には、セルフでプレーする場合に、必要な数だけクラブを運搬でき、クラブの取り出しや収容が容易な、ゴルフ道具運搬具が記載されている。
このゴルフ道具運搬具は、基体の上桟と、中桟と、下桟のそれぞれを分割し、ピンで回動自在に連結することで、基体を折り畳めるように構成されている。使用時には基体を広げ、Ｕ字状の弾性保持具に、シャフトを押し入れて、取手を持つことで、複数のゴルフクラブを運搬することが可能となる。
【先行技術文献】
【特許文献】
【０００７】
【特許文献１】特開２０１１−１６７４３８
【特許文献２】実開昭６０−０８８９６５
【発明の概要】
【発明が解決しようとする課題】
【０００８】
しかしながら、特許文献１及び特許文献２に記載の発明は、ゴルフクラブの持ち運びを主の用途としていることから、ホールに一時的に地面に載置しておく際に、プレーの障害となることが懸念される。
【０００９】
即ち、特許文献１に記載の発明を用いてゴルフクラブを地面に載置した際、例えば直前の天候によりホールの芝が濡れていた場合に、グリップに汚れが付着してしまう。また、特許文献２に記載の発明を用いてゴルフクラブを地面に載置した際、その大きさから、ショット時にゴルフクラブと接触してしまう恐れがある。
【００１０】
本発明は上記のような実状に鑑みてなされたものであり、プレーの障害となることなく、簡易にゴルフクラブを載置可能なゴルフクラブ載置具を提供することを課題とする。
【課題を解決するための手段】
【００１１】
上記課題を解決するために、本発明は、
グリップ及びシャフトを、ヘッドの接触面に対し傾斜状態で保持するゴルフクラブ載置具であって、
前記グリップ又は前記シャフトが載置される載置面を有する載置部と、前記載置部を支持する支持部と、を備え、
前記載置部と前記支持部とは、前記接触面の面方向に沿って折り畳み可能に連結されていることを特徴とする。
【００１２】
本発明によれば、前記載置部と前記支持部とが、前記接触面の面方向に沿って折り畳み可能に連結されていることで、不使用時に折り畳んで手軽に、ゴルフクラブ載置具を持ち運ぶことが可能となる。
また、本発明によれば、グリップ及びシャフトを、ヘッドの接触面に対し傾斜状態で保持することから、ゴルフクラブを載置した際、グリップ及びシャフトが接触面から離間した状態となり、グリップへの汚れの付着を防止することが可能となる。
さらに、本発明によれば、ゴルフクラブ載置具が簡易な構造となることから、コンパクトな設計ができ、ゴルフクラブ載置具自体が、ショット時にゴルフクラブと接触してしまうことを抑制することが可能となる。
【００１３】
本発明の好ましい形態では、前記載置部を一対備えることを特徴とする。
【００１４】
このような構成とすることで、持ち運びの容易性やコンパクトな設計を維持しつつ、より多くのゴルフクラブを載置することが可能となる。
【００１５】
本発明の好ましい形態では、前記支持部は、フック部を有することを特徴とする。
【００１６】
このような構成とすることで、不使用時に、ゴルフクラブ載置具をゴルフバッグ等に引っ掛けて持ち運ぶことが可能となる。
【００１７】
本発明の好ましい形態では、前記載置部又は前記支持部の少なくとも何れか一方は、前記接触面に接触する突起部を有することを特徴とする。
【００１８】
このような構成とすることで、使用時に、ゴルフクラブ載置具の安定性が向上する。
【００１９】
本発明の好ましい形態では、前記載置部と前記支持部とは、互いに着脱可能に連結する着脱手段を有することを特徴とする。
【００２０】
このような構成とすることで、不使用時に、載置部が、不意に開いた状態となることを防止することが可能となる。
【００２１】
本発明の好ましい形態では、前記載置面には、前記グリップ又は前記シャフトの前記載置部からの脱離を防止する脱離防止手段が設けられていることを特徴とする。
【００２２】
このような構成とすることで、例えば、プレイヤーが、ゴルフクラブ載置具に載置されているゴルフクラブに接触した場合であっても、ゴルフクラブの脱離によるグリップのへの汚れの付着を防止することが可能となる。
【００２３】
本発明の好ましい形態では、前記脱離防止手段は、前記載置面の両端から、前記接触面に対し略垂直に立設された立設部により構成されることを特徴とする。
【００２４】
このような構成とすることで、各立設部の間隔に収まる数の任意の本数のゴルフクラブを載置しておくことが可能となる。
【００２５】
本発明の好ましい形態では、前記脱離防止手段は、溝状の切欠き部により構成されることを特徴とする。
【００２６】
このような構成とすることで、ゴルフクラブを、載置面により安定的に載置することが可能となる。
【発明の効果】
【００２７】
本発明によれば、プレーの障害となることなく、簡易にゴルフクラブを載置可能なゴルフクラブ載置具を提供することができる。
【図面の簡単な説明】
【００２８】
【図１】本発明の実施形態に係るゴルフクラブ載置具において、一対の載置部を開いた状態を示す図であって、（ａ）概略斜視図、（ｂ）平面図である。
【図２】本発明の実施形態に係るゴルフクラブ載置具において、載置部と支持部とを折り畳んだ状態を示す図であって、（ａ）概略斜視図、（ｂ）平面図である。
【図３】本発明の実施形態に係るゴルフクラブ載置具を示す図であって、（ａ）載置部と支持部とを分解した状態の概略斜視図、（ｂ）載置部と支持部とを連結し、折り畳んだ状態の概略斜視図である。
【図４】本発明の実施形態に係るゴルフクラブ載置具の使用例を示す概略斜視図である。
【図５】本発明の実施形態に係るゴルフクラブ載置具の使用例を示す概略斜視図である。
【図６】本発明の実施形態に係るゴルフクラブ載置具の変更例を示す概略斜視図である。
【発明を実施するための形態】
【００２９】
以下、図１〜図６を用いて、本発明の実施形態に係るゴルフクラブ載置具について説明する。
なお、以下に示す実施形態は本発明の一例であり、本発明を以下の実施形態に限定するものではない。また、これらの図において、符号１は、本実施形態に係るゴルフクラブ載置具を示す。
【００３０】
図１に示すように、ゴルフクラブ載置具１は、グリップＣ１（図４参照）及びシャフトＣ２（図４参照）を、ヘッドＣ３（図５参照）の接触面Ｘ（図４参照）に対し傾斜状態で保持するものであり、グリップＣ１又はシャフトＣ２が載置される載置面１１ａを有する、一対の載置部１１と、載置部１１を支持する支持部１２と、を備えている。
また、載置部１１と支持部１２とは、接触面Ｘの面方向に沿って折り畳み可能に連結されている。
【００３１】
一対の載置部１１は、略薄板状である。
また、一対の載置部１１は、各載置面１１ａに対向する面に、接触面Ｘに向かって突出する突起部１１ｂを３つ有し、各載置面１１ａの両端には、グリップＣ１又はシャフトＣ２の載置部１１からの脱離を防止する脱離防止手段Ｍが設けられている。
なお、突起部１１ｂの数は、これに限定されず、幾つであっても良い。
【００３２】
さらに詳述すれば、一対の載置部１１には、開いた状態において、それぞれが対向する面に、一対の連結部Ｓと、一対の載置部１１と支持部１２とのなす角が鈍角とならないように回動を抑止する一対の回動抑止部Ｔと、が設けられている。
【００３３】
また、脱離防止手段Ｍは、各載置面１１ａの両端から、接触面に対し略垂直に立設された立設部１１ｃにより構成されている。
【００３４】
支持部１２は、略薄板状である。
また、支持部１２は、その一端に、上方に向かって延びるフック部１２ａと、接触面Ｘに向かって突出する突起部１２ｂを有している。
【００３５】
さらに詳述すれば、支持部１２には、その他端に、略円柱状の軸部Ｐと、一対の連結部Ｓの端部が挿通可能な挿通孔Ｈと、が設けられている。
また、図１（ｂ）に示すように、フック部１２ａは、その先端に向かうに伴って、支持部１２の面方向と略垂直な方向に向かって捩れながら湾曲して形成されている。
【００３６】
一対の載置部１１及び支持部１２は、互いに着脱可能に連結する着脱手段として、嵌合溝Ｄ１及び嵌合溝Ｄ１に嵌合する嵌合突起Ｄ２を有している。
【００３７】
詳述すれば、嵌合溝Ｄ１は、一対の載置部１１を折り畳んだ際、一対の載置部１１の支持部１２と対峙する面に、一つずつ設けられている。
また、嵌合突起Ｄ２は、一対の載置部１１を折り畳んだ際、一対の載置部１１と対峙する両面に一対設けられている。
【００３８】
これにより、一対の載置部１１を折り畳むことで、各嵌合溝Ｄ１が各嵌合突起Ｄ２に嵌合し、ゴルフクラブ載置具１は、図２に示す様な状態となる。
【００３９】
以下、図３を用いて、一対の載置部１１と支持部１２との連結態様について説明する。
【００４０】
図３（ａ）に示す様に、連結部Ｓは、一対の載置部１１にそれぞれ設けられており、詳述すれば、載置面１１ａの面方向と略垂直な方向に間隔を空けて３つ並んで設けられている。また、連結部Ｓは、載置面１１ａの面方向と略平行に延びる連結部本体Ｓ１と、フック状に形成された係止部Ｓ２と、を備えている。
なお、連結部Ｓの数は、これに限定されず、幾つであっても良い。
【００４１】
回動抑止部Ｔは、一対の載置部１１において、連結部Ｓが設けられている面と同一の面に、載置面１１ａの面方向と略垂直な方向に延びる突条として設けられている。
【００４２】
各係止部Ｓ２の内周面が、軸部Ｐの外周面に当接するように、各係止部Ｓ２を軸部Ｐに係止させることで、図３（ｂ）に示すように、一対の載置部１１が、連結部Ｓを介して軸部Ｐの軸周りに回動可能に、支持部１２に連結される。
なお、各係止部Ｓ２は、可撓性を有する素材により形成され、その内径が、軸部Ｐの外径よりもやや小さく形成されている。これにより、連結した際、各係止部Ｓ２の可撓性により、軸部Ｐの外周面が圧迫され、各係止部Ｓ２と軸部Ｐとが、安定的に連結される。
【００４３】
また、図３（ｂ）に示すように、一対の載置部１１を支持部１２に連結すると、一方の載置部１１の各連結部Ｓの間隔に、他方の載置部１１の各連結部Ｓが入り込み連結される態様となる。即ち、軸部Ｐには、その軸方向において、一方の載置部１１の連結部Ｓと他方の載置部１１の連結部Ｓとが、交互に係止されている態様となる。
これにより、一対の載置部１１が、安定的に回動可能となる。
【００４４】
一対の載置部１１を開いた際、各係止部Ｓ２が挿通孔Ｈを挿通することにより、各回動抑止部Ｔが互いに接触するまで、回動させることができる。
【００４５】
以下、図４及び図５を用いて、ゴルフクラブ載置具１の使用方法について説明する。
【００４６】
プレイヤーは、ショット毎に、任意の数本のゴルフクラブＣと、ゴルフクラブ載置具１を持ち、ボール（図示せず）が着地した位置まで歩いて行く。
【００４７】
次に、プレイヤーは、ゴルフクラブ載置具１を、地面Ｇに突起部１１ｂ及び１２ｂが接触するように、かつ一対の載置部１１を開いた状態で、ボールが着地した位置の近傍に載置しておく。
【００４８】
次に、プレイヤーは、状況に応じて、ショットに用いる最適なゴルフクラブＣを選択し、残りのゴルフクラブＣ（４本）を、そのグリップＣ１又はシャフトＣ２が載置面１１ａに載置されるように、ゴルフクラブ載置具１に載置する。
【００４９】
これにより、地面ＧがゴルフクラブＣのヘッドＣ３の接触面Ｘとなり、グリップＣ１及びシャフトＣ２が、地面Ｇ（接触面Ｘ）に対し傾斜状態で、ゴルフクラブ載置具１に保持され、図４（ａ）に示す状態となる。
【００５０】
ここで、支持部１２の突起部１２ｂの頂点は、一対の載置部１１の各突起部１１ｂの頂点が含まれる平面よりも上方（載置面１１ａ側）に形成されている。これにより、図４（ｂ）に示すように、ゴルフクラブ載置具１は、地面Ｇに載置した際、突起部１２ｂ側に傾斜するような構成となっている。
これにより、図４（ａ）や図４（ｂ）に示すように、支持部１２側にシャフトＣ２が延びるようにゴルフクラブＣを載置することで、突起部１１ｂ、１２ｂが地面Ｇに強固に接触し、ゴルフクラブ載置具１が、安定的に地面Ｇに載置される。
【００５１】
プレイヤーは、プレーの前後等においてゴルフクラブ載置具１を使用しない場合、一対の支持部１２を折り畳んでおき、図５に示すように、ゴルフバッグＢの開口端にフック部１２ａを引っ掛けておくことで、ゴルフクラブ載置具１をゴルフバッグＢと共に、容易に持ち運ぶことができる。
【００５２】
ここで、フック部１２ａは、その先端に向かうに伴って、支持部１２の面方向と略垂直な方向に向かって捩れながら湾曲して形成されていることで、ゴルフバッグＢの開口端に引っ掛けた際、ゴルフバッグＢの外周面に一方の支持部の載置面１１ａに略垂直な面が接触する態様となる。
これにより、突起部１１ｂが、ゴルフバッグＢの外方へ突出することがないため、突起部１１ｂによる怪我を防止することができる。
【００５３】
本実施形態によれば、載置部１１と支持部１２とが、地面Ｇ（接触面Ｘ）の面方向に沿って折り畳み可能に連結されていることで、不使用時に折り畳んで手軽に、ゴルフクラブ載置具１を持ち運ぶことが可能となる。
また、グリップＣ１及びシャフトＣ２を、ヘッドＣ３の地面Ｇに対し傾斜状態で保持することから、ゴルフクラブＣを載置した際、グリップＣ１及びシャフトＣ２が地面Ｇから離間した状態となり、グリップＣ１への汚れの付着を防止することが可能となる。
さらに、ゴルフクラブ載置具１が簡易な構造となることから、コンパクトな設計ができ、ゴルフクラブ載置具１自体が、ショット時にゴルフクラブＣと接触してしまうことを抑制することが可能となる。
【００５４】
また、載置部１１を一対備えることで、持ち運びの容易性やコンパクトな設計を維持しつつ、より多くのゴルフクラブＣを載置することが可能となる。
【００５５】
また、支持部１２が、フック部１２ａを有することで、不使用時に、ゴルフクラブ載置具１をゴルフバッグＢ等に引っ掛けて持ち運ぶことが可能となる。
【００５６】
また、載置部１１及び支持部１２が、地面Ｇに接触する突起部１１ｂ及び１２ｂを有することで、使用時に、ゴルフクラブ載置具１の安定性が向上する。
【００５７】
また、載置部１１と支持部１２とが、互いに着脱可能に連結する着脱手段Ｄとして、嵌合溝Ｄ１と嵌合突起Ｄ２と、を有することで、不使用時に、載置部１１が、不意に開いた状態となることを防止することが可能となる。
【００５８】
また、脱離防止手段Ｍが、地面Ｇに対し略垂直に立設された立設部１１ｃにより構成されていることで、各立設部１１ｃの間隔に収まる数の任意の本数のゴルフクラブＣを載置しておくことが可能となる。
【００５９】
なお、上述の実施形態において示した各構成部材の諸形状や寸法等は一例であって、設計要求等に基づき種々変更可能である。
【００６０】
例えば。図６に示すように、脱離防止手段Ｍは、溝状の切欠き部１１ｄにより構成されていても良い。
【００６１】
これにより、グリップＣ１又はシャフトＣ２を、切欠き部１１ｄの内周面に載置することで、ゴルフクラブＣを、載置面１１ａにより安定的に載置することが可能となる。
【符号の説明】
【００６２】
１      ゴルフクラブ載置具
１１    載置部
１１ａ  載置面
１１ｂ  突起部
１１ｃ  立設部
１１ｄ  切欠き部
Ｍ      脱離防止手段
Ｔ      回動抑止部
Ｓ      連結部
Ｓ１    連結部本体
Ｓ２    係止部
１２    支持部
１２ａ  フック部
１２ｂ  突起部
Ｐ      軸部
Ｈ      挿通孔
Ｄ      着脱手段
Ｄ１    嵌合溝
Ｄ２    嵌合突起
Ｃ      ゴルフクラブ
Ｃ１    グリップ
Ｃ２    シャフト
Ｃ３    ヘッド
Ｂ      ゴルフバッグ
Ｇ      地面
Ｘ      接触面
【図１】
2020080915.tif 000003
【図２】
2020080915.tif 000004
【図３】
2020080915.tif 000005
【図４】
2020080915.tif 000006
【図５】
2020080915.tif 000007
【図６】
2020080915.tif 000008